(57)【要約】【課題】  光学式ファインダの小型化が図られた撮影装置およびその撮影装置に好適な表示装置を提供する。【解決手段】  対物レンズ１０＿４１と接眼レンズ１０＿４２との間に、光透過性基板に光透過性のＬＥＤが二次元的に搭載された透過表示板１０＿４３を配置し、レンズ位置情報，露出値情報，背景色情報に基づいて透過表示板１０＿４３上のＬＥＤを表示制御部１２９で点灯することにより、光学式ファインダ１０＿４内の被写体像と重なる位置に、撮影条件を表わす文字（Ｔ，（Ｗ），４０ｍｍ，Ｆ５．６，１／２５０）を表示する。【選択図】  図６
2006227200.tif 000002
【特許請求の範囲】
【請求項１】
撮影光学系を経由して入射してきた被写体光を撮像素子上に結像して画像データを生成する撮影装置において、
被写体像と重なる位置に、光透過性基板に光透過性のＬＥＤが二次元的に搭載された透過表示板が配置された光学式ファインダと、
前記透過表示板上のＬＥＤの点灯あるいは点滅により、撮影条件を表わす文字を表示させる表示制御部とを備えたことを特徴とする撮影装置。
【請求項２】
前記透過表示板は、複数色それぞれで発光するＬＥＤが二次元的に搭載されたものであって、前記表示制御部は、撮影中の画像を表わす画像データに基づいて前記透過表示板の発光色を変化させるものであることを特徴とする請求項１記載の撮影装置。
【請求項３】
撮影光学系を経由して入射してきた被写体光を撮像素子上に結像して画像データを生成する撮影装置において、
被写体像と重なる位置に、光透過性基板に光透過性のＬＥＤが二次元的に搭載された透過表示板が配置された光学式ファインダと、
前記透過表示板上のＬＥＤの点灯あるいは点滅により、該透過表示板上に撮影済みの画像を表示させる表示制御部を備えたことを特徴とする撮影装置。
【請求項４】
前記表示制御部は、前記透過表示板上に、撮影中の画像を表わす画像データに基づく画像を表示させるものであることを特徴とする請求項３記載の撮影装置。
【請求項５】
前記表示制御部は、前記透過表示板上に、過去に撮影され記録されている画像データに基づく画像を表示させるものであることを特徴とする請求項３記載の撮影装置。
【請求項６】
所定の結像面上に結像する第１の光学系と、
該結像面上に配置された、光透過性基板に光透過性のＬＥＤが二次元的に搭載された透過表示板と、
前記透過表示板上のＬＥＤを表示させる表示制御部と、
前記透過表示板を前記第１の光学系とで挟む位置に配置された第２の光学系とを備えたことを特徴とする表示装置。
【発明の詳細な説明】
【技術分野】
【０００１】
本発明は、撮影光学系を経由して入射してきた被写体光を撮像素子上に結像して画像データを生成する撮影装置および表示装置に関する。
【背景技術】
【０００２】
従来より、撮影光学系を経由して入射してきた被写体光を撮像素子上に結像して画像データを生成する撮影装置として、光学式ファインダを備えたカメラが知られている。このようなカメラにおいて、光学式ファインダ内に、プリズムやハーフミラー等の光学部材と２色（赤色，緑色）それぞれで点灯するＬＥＤと液晶表示部とを有する表示装置を備え、合焦範囲内であればＬＥＤを緑色に点灯させるとともに液晶表示部にその旨を表示する技術が提案されている。この技術によれば、光学式ファインダを覗き込むことにより、合焦範囲内であるか否かを被写体とともに視認することができる（特許文献１参照）。
【特許文献１】特開平６−３０１０８３号公報
【発明の開示】
【発明が解決しようとする課題】
【０００３】
上述した特許文献１に提案された技術では、合焦範囲内であるか否かを視認するために、プリズムやハーフミラー等の光学部材とＬＥＤと液晶表示部とを有する表示装置が必要とされる。また、ＬＥＤと液晶表示部は、被写体光が通過する光路の外部に設けられている。このため、光学式ファインダのサイズが大きいという問題がある。
【０００４】
本発明は、上記事情に鑑み、光学式ファインダの小型化が図られた撮影装置およびその撮影装置に好適な表示装置を提供することを目的とする。
【課題を解決するための手段】
【０００５】
上記目的を達成する本発明の撮影装置のうちの第１の撮影装置は、撮影光学系を経由して入射してきた被写体光を撮像素子上に結像して画像データを生成する撮影装置において、
被写体像と重なる位置に、光透過性基板に光透過性のＬＥＤが二次元的に搭載された透過表示板が配置された光学式ファインダと、
上記透過表示板上のＬＥＤの点灯あるいは点滅により、撮影条件を表わす文字を表示させる表示制御部とを備えたことを特徴とする。
【０００６】
本発明の第１の撮影装置は、被写体像と重なる位置に、光透過性基板に光透過性のＬＥＤが二次元的に搭載された透過表示板が配置された光学式ファインダを備え、その透過表示板上のＬＥＤの点灯あるいは点滅により、撮影条件を表わす文字を表示させるものである。このように、光学式ファインダ内の、被写体光が通過する光路上に、上記透過表示板が配置されてなる構成であるため、従来の、プリズムやハーフミラー等の光学部材を有するとともに光路外にＬＥＤと液晶表示部を有する表示装置を備える技術と比較し、光学式ファインダのサイズを小さく抑えたまま、被写体像と重なる位置に撮影条件を表わす文字を表示することができる。また、撮影条件を表わす文字は、透過表示板上のＬＥＤの点灯あるいは点滅により表示されるため、周囲が暗い場合であっても視認することができる。
【０００７】
ここで、本発明の第１の撮影装置における上記透過表示板は、複数色それぞれで発光するＬＥＤが二次元的に搭載されたものであって、上記表示制御部は、撮影中の画像を表わす画像データに基づいて上記透過表示板の発光色を変化させるものであることが好ましい。
【０００８】
このようにすると、撮影条件を表わす文字を、光学式ファインダ内の被写体像の色とは異なる色で表示させることができるため、視認性が高まる。
【０００９】
また、上記目的を達成する本発明の撮影装置のうちの第２の撮影装置は、撮影光学系を経由して入射してきた被写体光を撮像素子上に結像して画像データを生成する撮影装置において、
被写体像と重なる位置に、光透過性基板に光透過性のＬＥＤが二次元的に搭載された透過表示板が配置された光学式ファインダと、
上記透過表示板上のＬＥＤの点灯あるいは点滅により、その透過表示板上に撮影済みの画像を表示させる表示制御部を備えたことを特徴とする。
【００１０】
本発明の第２の撮影装置は、被写体像と重なる位置に、光透過性基板に光透過性のＬＥＤが二次元的に搭載された透過表示板が配置された光学式ファインダを備え、その透過表示板上のＬＥＤの点灯あるいは点滅により、その透過表示板上に撮影済みの画像を表示させるものである。このように、光学式ファインダ内の、被写体光が通過する光路上に、上記透過表示板が配置されてなる構成であるため、従来の、プリズムやハーフミラー等の光学部材を有するとともに光路外にＬＥＤと液晶表示部を有する表示装置を備える技術と比較し、光学式ファインダのサイズを小さく抑えたまま、被写体像と重なる位置に撮影済みの画像を表示することができる。また、撮影済みの画像は、透過表示板上のＬＥＤの点灯あるいは点滅により表示されるため、周囲が暗い場合であっても視認することができる。
【００１１】
ここで、本発明の第２の撮影装置における上記表示制御部は、上記透過表示板上に、撮影中の画像を表わす画像データに基づく画像を表示させるものであることが好ましい。
【００１２】
このようにすると、光学式ファインダで生じるパララックス（視差）を確認することができる。
【００１３】
また、本発明の第２の撮影装置における上記表示制御部は、上記透過表示板上に、過去に撮影され記録されている画像データに基づく画像を表示させるものであることも好ましい態様である。
【００１４】
このようにすると、定められた点を定期的に観測する定点観測や合成写真の作成を精度よく行なうことができる。
【００１５】
さらに、上記目的を達成する本発明の表示装置は、
所定の結像面上に結像する第１の光学系と、
その結像面上に配置された、光透過性基板に光透過性のＬＥＤが二次元的に搭載された透過表示板と、
上記透過表示板上のＬＥＤを表示させる表示制御部と、
上記透過表示板を上記第１の光学系とで挟む位置に配置された第２の光学系とを備えたことを特徴とする。
【００１６】
本発明の表示装置は、上記構成のため、例えば本発明の第１，第２の撮影装置における光学式ファインダに好適に用いることができる。
【発明の効果】
【００１７】
本発明によれば、光学式ファインダの小型化が図られた撮影装置およびその撮影装置に好適な表示装置を提供することができる。
【発明を実施するための最良の形態】
【００１８】
以下、本発明の実施の形態について説明する。
【００１９】
図１は、本発明の第１の撮影装置の一実施形態のデジタルカメラを前面斜め上から見た外観斜視図である。
【００２０】
図１に示すデジタルカメラ１０の前面中央部には、ズームレンズ１０＿１ａを内部に備えたズーム鏡胴１０＿１が備えられている。また、このデジタルカメラ１０の前面上部には、撮影に同期してフラッシュを発するフラッシュ発光部１０＿２と、フラッシュ発光部１０＿２からのフラッシュの光量を制御するためにそのフラッシュの光量を検出するフラッシュ調光センサ１０＿３と、後述する光学式ファインダを構成する光学式ファインダ対物窓１０＿４１ａとが備えられている。
【００２１】
また、このデジタルカメラ１０の前面左側には、このデジタルカメラ１０を確実に握ることができる形状を有するグリップ１０＿５と、セルフタイマ作動時等に点滅するセルフタイマランプ１０＿６が備えられている。
【００２２】
さらに、このデジタルカメラ１０の上面には、シャッタボタン１０＿８と、各種の設定を行なうためのモードダイヤル１０＿９と、電源ボタン１０＿１０とが備えられている。
【００２３】
図２は、図１に示すデジタルカメラを上から見た外観図である。
【００２４】
このデジタルカメラ１０には、前述したフラッシュ発光部１０＿２，シャッタボタン１０＿８，モードダイヤル１０＿９，電源ボタン１０＿１０に加えて、このデジタルカメラ１０の上方から下方に向けて設けられた斜面部に、フラッシュ発光部１０＿２をポップアップするためのポップアップボタン１０＿１２が備えられている。また、モードダイヤル１０＿９には、オートモードを示す文字ＡＵＴＯ、プログラムオートモードを示すＰ、シャッタスピード優先オートモードを示すＳ、絞り優先オートモードを示すＡ、マニュアルモードを示すＭ、動画モードを示す絵柄、および４つのシーンポジション（夜景、スポーツ、風景、人物のシーンポジション）を示す４つの絵柄が印刷されている。このモードダイヤル１０＿９を回転操作することにより、所望のモードに設定することができる。ここで、各モードについて簡単に説明する。
【００２５】
オートモード（ＡＵＴＯ）は、カメラ側で露出やホワイトバランス等全てを制御するためのモードである。プログラムオートモード（Ｐ）は、シャッタスピードと絞りを自動的に設定するためのモードである。シャッタスピード優先オートモード（Ｓ）は、シャッタスピードを優先的に設定するためのモードである。絞り優先オートモード（Ａ）は、絞りを優先的に設定するためのモードである。マニュアルモード（Ｍ）は、シャッタスピードと絞りを自由に設定するためのモードである。マニュアルモード（Ｍ）の隣りの絵柄で示される動画モードは、動画撮影用のモードである。
【００２６】
また、この動画モードから見て時計回りに４つの撮影シーン（夜景、スポーツ、風景、人物）を選択するための４つのシーンポジションモードがある。
【００２７】
夜景用のシーンポジションモードは、夕景や夜景などの雰囲気を活かした撮影に好適なモードである。スポーツ用のシーンポジションモードは、スポーツシーンをはじめ、動体撮影に好適なモードである。風景用のシーンポジションモードは、建物や山等、昼間の風景撮影に好適なモードである。人物用のシーンポジションモードは、肌色をより美しく写し出すことができるポートレート撮影に好適なモードである。
【００２８】
図３は、図１に示すデジタルカメラを背面から見た外観図である。
【００２９】
図３に示すデジタルカメラ１０の背面上部には、光学式ファインダを構成する光学式ファインダ接眼窓１０＿４２ｂと、露出補正ボタン１０＿２４と、押下することにより広角側（ワイド側）にズームアップする広角ズームボタン１０＿２５と、押下することにより望遠側（テレ側）にズームアップする望遠ズームボタン１０＿２６と、撮影モード側１０＿２７ａと再生モード側１０＿２７ｂとに切り換えるモードスイッチ１０＿２７とが備えられている。
【００３０】
また、モードスイッチ１０＿２７の下側には、フォトモードボタン１０＿３０と、十字ボタン１０＿３１と、メニュー／ＯＫボタン１０＿３２と、ＤＩＳＰ／ＢＡＣＫボタン１０＿３３とが備えられている。さらに、デジタルカメラ１０の背面中央部には、液晶モニタ１０＿３４が備えられている。
【００３１】
フォトモードボタン１０＿３０は、ピクセル数，感度，色味，プリント枚数等を設定するためのボタンである。
【００３２】
十字ボタン１０＿３１は、液晶モニタ１０＿３４上にメニュー画面などが表示された場合には、その十字キー１０＿３１の上ボタン１０＿３１ａ、下ボタン１０＿３１ｂ、左ボタン１０＿３１ｃ、右ボタン１０＿３１ｄの４つのボタンを操作することによってメニューの選択を行なうことができる。また、左ボタン１０＿３１ｃは、マクロ撮影を行なうか否かを切り換えるためのボタンでもあり、一度押下するとマクロ撮影モードとなり、再度押下するとマクロ撮影モードが解除される。さらに、右ボタン１０＿３１ｄは、フラッシュボタンの役割を担うボタンでもあり、押下する毎に、オートフラッシュ→赤目低減フラッシュ→強制フラッシュ→フラッシュ禁止→スローシンクロ→オートフラッシュというようにフラッシュの状態を繰り返し切り換えるためのボタンでもある。
【００３３】
メニュー／ＯＫボタン１０＿３２は、撮影時や再生時における各種のメニューを表示したり、選択されたメニューを決定するためのボタンである。
【００３４】
ＤＩＳＰ／ＢＡＣＫボタン１０＿３３は、ＤＩＳＰボタンおよびＢＡＣＫボタン双方の役割を担うボタンである。ＤＩＳＰボタンの役割の場合は、液晶モニタ１０＿３４に表示された画面の状態を切り換えるためのボタンとなり、例えば撮影時に液晶モニタ１０＿３４の表示をオン，オフしたり、再生時に文字表示をオン，オフしたりする。一方、ＢＡＣＫボタンの役割の場合は、ＭＥＮＵ／ＯＫボタン１０＿３２等による操作状態を１つ前に戻したり取り消したりするためのボタンとなる。
【００３５】
液晶モニタ１０＿３４は、このデジタルカメラ１０で被写体光を捉えて生成された画像データに基づく画像、およびメッセージ表示用の文字データに基づくメッセージを表示する。
【００３６】
図４は、図１に示すデジタルカメラを下から見た外観図である。
【００３７】
デジタルカメラ１０には電池カバー１０＿１３が備えられており、この図４には電池カバー１０＿１３が開放された状態のデジタルカメラ１０が示されている。
【００３８】
また、デジタルカメラ１０には、電池１００が挿入される電池挿入部１０＿１４が設けられている。さらに、このデジタルカメラ１０には、記録メディア１０＿５４が挿入される記録メディアスロット１０＿１５が設けられている。また、このデジタルカメラ１０には、三脚用ねじ穴１０＿１６も設けられている。
【００３９】
図５は、図１に示すデジタルカメラの内部構成を示す図である。
【００４０】
このデジタルカメラ１０には、撮影光学系を構成するズームレンズ１０＿１ａ，アイリス１０＿１ｂ，フォーカスレンズ１０＿１ｃと、それらズームレンズ１０＿１ａ，アイリス１０＿１ｂ，フォーカスレンズ１０＿１ｃを駆動することによりズーミング，フォーカシング，露光量調整を行なうためのモータドライバ１１１，１１２，１１３が備えられている。
【００４１】
また、デジタルカメラ１０には、ＣＣＤ１１４と、タイミングジェネレータ１１５と、ＭＰＵ（Ｍｉｃｒｏ  Ｐｒｏｃｅｓｓｏｒ  Ｕｎｉｔ）１１６とが備えられている。
【００４２】
ＣＣＤ１１４は、ズームレンズ１０＿１ａ，アイリス１０＿１ｂ，フォーカスレンズ１０＿１ｃを経由してきた被写体光を捉える固体撮像素子である。このＣＣＤ１１１４には、入射された被写体光を電気信号である画像信号に変換するフォトダイオード等の光電変換素子が多数個備えられている。
【００４３】
タイミングジェネレータ１１５は、ＭＰＵ１１６からの指示により所定のタイミングでＣＣＤ１１４を駆動する。これにより、ＣＣＤ１１４に入射されている被写体光が所定のフレームレートで光電変換され、そのＣＣＤ１１４からアナログ画像信号として出力される。
【００４４】
ＭＰＵ１１６は、このデジタルカメラ１０全体の制御を行なう。具体的には、ＭＰＵ１１６にはＲＯＭ１１６ａが内蔵されており、その内蔵されたＲＯＭ１１６ａのプログラムの手順にしたがってデジタルカメラ１０全体の動作が制御される。
【００４５】
さらに、デジタルカメラ１０には、ＣＣＤ１１４から出力されたアナログ画像信号の雑音を低減する処理等を行なうＣＤＳＡＭＰ１１７と、その処理等が施されたアナログ画像信号をデジタル画像信号にアナログ／デジタル変換するＡ／Ｄ変換部１１１８と、Ａ／Ｄ変換部１１８でデジタル画像信号に変換されたＲＧＢからなる画像データをデータバスを介して、メモリであるＳＤＲＡＭ１２５に転送する画像入力コントローラ１１９とが備えられている。
【００４６】
また、デジタルカメラ１０には、ＳＤＲＡＭ１２５の画像データを読み出させ、ＹＣ信号への変換を行なう画像処理プロセスを実行する画像信号処理部１２０と、画像処理プロセスが終了した時点でＪＰＥＧプロセスを実行して画像データの圧縮を行なう圧縮処理部１２１と、画像データをビデオ信号に変換して前述した液晶モニタ１０＿３４に導くためのＶｉｄｅｏ／ＬＣＤエンコーダ１２２とが備えられている。
【００４７】
さらに、デジタルカメラ１０には、画像のピント情報を検出するＡＦ検出部１２３と、画像の輝度情報と白色バランス情報を検出するＡＥ＆ＡＷＢ検出部１２４と、作業領域用のメモリとしても使用されるＳＤＲＡＭ１２５と、Ａ領域，Ｂ領域を有する表示用のバッファとしてのＶＲＡＭ１２６と、画像データを前述した記録メディア１０＿５４に記憶するための制御を行なうメディアコントローラ１２７とが備えられている。
【００４８】
尚、この図５には、前述したモードダイヤル１０＿９，ポップアップボタン１０＿１２，露出補正ボタン１０＿２４，モードスイッチ１０＿２７，フォトモードボタン１０＿３０，十字ボタン１０＿３１，メニュー／ＯＫボタン１０＿３２，ＤＩＳＰ／ＢＡＣＫボタン１０＿３３からなる操作部１０＿１００が示されている。
【００４９】
また、デジタルカメラ１０には、現在撮影されている画像（スルー画像）の背景色を検出するための背景色検出部１２８と、表示制御部１２９と、光学式ファインダ１０＿４とが備えられている。これら背景色検出部１２８，表示制御部１２９，光学式ファインダ１０＿４については後述することとし、先ず、このデジタルカメラ１０の概略動作について説明する。
【００５０】
このデジタルカメラ１０の動作は統括的にＭＰＵ１１６により制御される。このＭＰＵ１１６内にはＲＯＭ１１６ａが内蔵されており、その内蔵されたＲＯＭ１１６ａ内にプログラムが格納されている。このプログラムの手順にしたがってデジタルカメラ１０全体の動作がＭＰＵ１１６により制御される。また、ＳＤＲＡＭ１２５にはＲＯＭ１１１６ａに記述されているプログラムの手順にしたがってＭＰＵ１１６がこのデジタルカメラ１０全体を制御しているときに、処理中の画像データが一時的に格納されたりする。
【００５１】
また、表示用のバッファとしてのＶＲＡＭ１２６にはスルー画像を表わす画像データがＡ領域、Ｂ領域に順次記憶され、それらの領域にある画像データが交互にＶｉｄｅｏ／ＬＣＤエンコーダ１２２に供給され画像データに基づく画像が順次切り換えられてスルー画像として液晶モニタ１０＿３４上に表示される。
【００５２】
先ず、モードダイヤル１０＿９（図２参照）がオートモード（ＡＵＴＯ）に切り替えられて撮影が行なわれた場合の画像データの流れを、図５を参照して説明する。
【００５３】
モードダイヤル１０＿９がオートモード（ＡＵＴＯ）に切り替えられると、ＭＰＵ１１６は撮影光学系を経由した被写体光をＣＣＤ１１４で捉え、そのＣＣＤ１１４で生成される画像データを所定の間隔ごとにＣＤＳＡＭＰ１１７側へ出力させ、Ａ／Ｄ変換部１１８，画像入力コントローラ１１９，画像信号処理部１２０で表示可能な画像データに変換してスルー画像を液晶モニタ１０＿３４の画面上に表示させる。そのスルー画像に基づいて任意にフレーミングが行なわれ、ＡＦ検出部１２３が絶えずフォーカスレンズ１０＿１ｃを前後させ合焦点検出を行なってフレーミングの中央に焦点のあった画像をＣＣＤ１１４に結像させる。このときにはＡＥ＆ＡＷＢ検出部１２４によって被写界輝度が検出され、その検出結果に基づいてモータドライバ１１２により小絞、あるいは開放絞りが設定されたり、ホワイトバランス調整のため、Ｒ、Ｇ、Ｂの各色信号のゲインが調整されたりする。このように被写界輝度に応じて露出が調節され焦点のあった画像を表わす画像データを、タイミングジェネレータ１１５からのタイミング信号に応じて所定の間隔ごとにＣＤＳＡＭＰ１１７へ出力させ、後段でスルー画像を得ている。撮影者はこのスルー画像を見ながらフレーミングを行ない、シャッタチャンスにレリーズ操作を行なう。
【００５４】
レリーズ操作が行なわれると、ＭＰＵ１１６は、ＣＣＤ１１４にレリーズ操作時の画像を結像させるため、タイミングジェネレータ１１５からタイミング信号を供給させる。このタイミング信号はＣＣＤ１１４に露光開始および露光終了を告げるものでありいわゆるシャッタスピードに相当する。ＭＰＵ１１６はこの露光終了時にＣＣＤ１１４から画像データ（ＲＧＢの光の３原色Ｒ，Ｇ、Ｂからなる画像データ）を出力させ、後段のＣＤＳＡＭＰ１１７に供給させる。さらに、ＣＤＳＡＭＰ１１７でそのＣＣＤ１１４から出力された画像データの雑音が低減され、その雑音が低減された画像データがＡ／Ｄ変換部１１８でデジタル信号に変換される。このＡ／Ｄ変換部１１８でデジタル信号に変換されたＲＧＢからなる画像データは、後段の画像入力コントローラ１１９によりデータバスを介してＳＤＲＡＭ１２５に供給され、このＳＤＲＡＭ１２５にＣＣＤ１１４のすべての画素の画像データが記憶される。すべての画素データに対応する画像データがＳＤＲＡＭ１２５に記憶されると、ＭＰＵ１１６が画像信号処理部１２０の画像処理プロセスを起動させ、その画像処理プロセスによってＳＤＲＡＭ１２５の画像データを読み出させ、ＹＣ信号への変換を行なわせる。さらに、この画像信号処理部１２０の画像処理プロセスが終了したことをＭＰＵ１１６が検知すると、ＭＰＵ１１６は圧縮処理部１２１のＪＰＥＧプロセスを起動させ、ＪＰＥＧプロセスによって画像データの圧縮を行なわせる。この圧縮処理部１２１での圧縮が完了したことをＭＰＵ１１６が検知すると、ＭＰＵ１１６は次に記録処理プロセスを起動させ、ＪＰＥＧ圧縮された画像データを、メディアコントローラ１２７を介して記録メディア１０＿５４に記録させる。以上がオートモードのときの撮影データの流れである。
【００５５】
以降、モードダイヤル１０＿９がマニュアルモードに切り替えられたときの画像データの処理について説明する。
【００５６】
モードダイヤル１０９がマニュアルモード（Ｍ）に切り替えられると、撮影条件が手動により設定されて撮影が行なわれる。このデジタルカメラ１０においては撮影条件の一つであるフォーカスポイントも自在に設定することができるが、ここでは撮影条件の１つとして露出条件を挙げて以降説明する。
【００５７】
モードダイヤル１０＿９がマニュアルモード（Ｍ）に切り替えられると、スルー画像とともに露出補正値、シャープネス、フラッシュ光量などの補正を行なうための表示画面が液晶モニタ１０＿３４に表示される。この表示画面の中の選択項目、例えば露出値の切り替えを十字キー１０＿３１により行なうことができる。
【００５８】
このようにマニュアルモードのときには、撮影者が任意に撮影条件の設定を行なえるようになっており、これらの撮影条件下で撮影が行なわれる。
【００５９】
このようなマニュアルモードで撮影が行なわれるときには、その設定された撮影条件によって露光アンダーであろうが、露光オーバーであろうがそのまま撮影が行なわれる。例えば、この露光アンダー、露光オーバーは、ＡＥ＆ＡＷＢ検出部１２４の検出結果に基づきＭＰＵ１１６が判定する。
【００６０】
次に、背景色検出部１２８，表示制御部１２９，光学式ファインダ１０＿４の動作について図５、図６、図７を参照して説明する。
【００６１】
図６は、表示制御部および光学式ファインダの機能を説明するための図、図７は、図６に示す透過表示板の構造を模式的に示す図である。
【００６２】
先ず、図６を参照して、光学式ファインダ１０＿４について説明する。この光学式ファインダ１０＿４は表示制御部１２９とともに、本発明にいう表示装置の一例を構成するものであり、この光学式ファインダ１０＿４には、ズームレンズ１０＿１ａにより変化する視野に応じて変化するズームファインダを実現するための、所定の結像面に結像する第１の光学系である対物レンズ１０＿４１が備えられている。また、この光学式ファインダ１０＿４には、透過表示板１０＿４３と、第２の光学系である接眼レンズ１０＿４２が備えられている。
【００６３】
透過表示板１０＿４３には、図７に示すように、光透過性基板１０＿４３０が備えられている。また、この光透過性基板１０＿４３０上には、赤色で発光する光透過性のＬＥＤ１０＿４３Ｒが二次元的に搭載された赤色ＬＥＤ層１０＿４３１と、緑色で発光する光透過性のＬＥＤ１０＿４３Ｇが二次元的に搭載された緑色ＬＥＤ層１０＿４３２と、青色で発光する光透過性のＬＥＤ１０＿４３Ｂが二次元的に搭載された青色ＬＥＤ層１０＿４３３とが積層されている。
【００６４】
また、図５に示す背景色検出部１２８は、現在撮影されている画像の背景色を検出する。さらに、表示制御部１２９は、図６に示すように、ＡＦ検出部１２３からのレンズ位置情報，ＡＥ＆ＡＷＢ検出部１２４からの露出値情報，背景色検出部１２８からの背景色情報を、データバスを介して入力し、それら情報に基づいて透過表示板１０＿４３上のＬＥＤ１０＿４３Ｒ，１０＿４３Ｇ，１０＿４３Ｂを点灯（あるいは点滅）制御することにより、撮影条件を表わす文字を表示させる。具体的には、表示制御部１２９は、光学式ファインダ１０＿４を介して視認されている矢印Ａで示す画像（図６参照）を構成する背景色のデータ等に基づいて、透過表示板１０＿４３の発光色を変化させる。これにより、図６の矢印Ｂで示すように、光学式ファインダ１０＿４内には、矢印Ａで示す画像と重なる位置に、テレ側にズームアップしたことを示す文字Ｔ，焦点距離を示す文字４０ｍｍがＬＥＤ１０＿４３Ｒで表示される。また、ワイド側にズームアップしたことを示す文字（Ｗ），シャッタスピードを示す文字１／２５０がＬＥＤ１０＿４３Ｇで表示される。さらに、絞り値を示す文字Ｆ５．６がＬＥＤ１０＿４３Ｂで表示される。このようにして、撮影者に対して撮影に必要な情報が提供される。尚、ＬＥＤ１０＿４３Ｒ，１０＿４３Ｇ，１０＿４３Ｂが消灯している場合は、これらＬＥＤ１０＿４３Ｒ，１０＿４３Ｇ，１０＿４３Ｂを光が透過するため、矢印Ａで示す画像がそのまま視認される。
【００６５】
ここで、上記ＬＥＤ１０＿４３Ｒ，１０＿４３Ｇ，１０＿４３Ｂの製造方法について説明する。本実施形態のＬＥＤ１０＿４３Ｒ，１０＿４３Ｇ，１０＿４３Ｂは、透明酸化物ダイオードであり、この透明酸化物ダイオードの製造方法において、ｎ型ＣｕＩｎＯ2を形成する透明基板は、室温において可視光が良く透過するものであることが好ましい。波長３８０ｎｍ〜８００ｎｍの可視光領域における光透過率は好ましくは５０〜１００％であり、より好ましくは８０〜１００％である。
【００６６】
例えば、ポリカーボネート、ポリメタクリル酸メチルなどのプラスチック基板、石英ガラス、パイレックス（コーニング  インコーポレーテッド登録商標）ガラスなどのガラス基板、などの結晶基板などが挙げられる。ガラス基板は、光透過率を高めるために、両面を光学研磨してあることが好ましい。
【００６７】
ｎ型およびｐ型ＣｕＩｎＯ2層を積層する方法として、例えば、ＰＬＤ法、スパッタリング法、ＣＶＤ法、ＭＢＥ法、真空蒸着法などを選ぶことができる。
【００６８】
ｐ型ＣｕＩｎＯ2の成長方法において、ｐ型ＣｕＩｎＯ2層を形成する際には、雰囲気ガスとして１×１０-4Ｐａ〜１００Ｐａの酸素ガスを容器内に導入することが好ましい。基板温度は、より好ましくは３００℃〜７００℃の範囲である。
【００６９】
焼結体ターゲットとしては、２価の金属イオンをＩｎサイトに０〜２０ａｔｏｍｉｃ％置換したものを用いる。ホール濃度はＭｇ2+，Ｃａ2+，Ｓｒ2+，Ｂａ2+，Ｚｎ2+などの２価の金属イオンの置換率で制御できる。中でも、Ｃａ2+を用いた場合にホール濃度の制御性が良好である。
【００７０】
ｎ型ＣｕＩｎＯ2の成長方法において、ｎ型ＣｕＩｎＯ2層を形成する際には、雰囲気ガスとして１×１０-4Ｐａ〜１００Ｐａの酸素ガスを容器内に導入することが好ましい。基板温度は２００℃〜１０００℃の範囲で選択することが好ましい。
【００７１】
焼結体ターゲットとしては、４価の金属イオンをＩｎサイトに０〜２０ａｔｏｍｉｃ％置換したものを用いる。キャリア電子濃度はＴｉ4+，Ｚｒ4+，Ｈｆ4+，Ｓｉ4+，Ｇｅ4+，Ｓｎ4+などの４価の金属イオンの置換率で制御できる。中でも、Ｓｎ4+を用いた場合に電子濃度の制御性が良好である。
【００７２】
本実施形態のデジタルカメラ１０は、被写体像と重なる位置に、光透過性基板１０＿４３０に光透過性のＬＥＤ１０＿４３Ｒ，１０＿４３Ｇ，１０＿４３Ｂが二次元的に搭載された透過表示板１０＿４３が配置された光学式ファインダ１０＿４を備え、その透過表示板１０＿４３上のＬＥＤ１０＿４３Ｒ，１０＿４３Ｇ，１０＿４３Ｂの点灯（あるいは点滅）により、撮影条件を表わす文字を表示させるものである。このように、光学式ファインダ１０＿４内の、被写体光が通過する光路上に、透過表示板１０＿４３が配置されてなる構成であるため、従来の、プリズムやハーフミラー等の光学部材を有するとともに光路外にＬＥＤと液晶表示部を有する表示装置を備える技術と比較し、光学式ファインダ１０＿４のサイズを小さく抑えたまま、被写体像と重なる位置に撮影条件を表わす文字を表示することができる。また、撮影条件を表わす文字は、光学式ファインダ１０＿４内の被写体像の色とは異なる色で表示されるため、文字の視認性が高まる。さらに、撮影条件を表わす文字は、透過表示板１０＿４３上のＬＥＤ１０＿４３Ｒ，１０＿４３Ｇ，１０＿４３Ｂの点灯（あるいは点滅）により表示されるため、周囲が暗い場合であっても視認することができる。
【００７３】
図８は、本発明の第２の撮影装置の一実施形態のデジタルカメラの内部構成を示す図である。
【００７４】
尚、本発明の第２の撮影装置の一実施形態のデジタルカメラの外観図は、前述した、図１，図２，図３，図４に示すデジタルカメラ１０の外観図と同じであるため、図示省略する。
【００７５】
また、図８に示すデジタルカメラ２０の内部構成は、図５に示すデジタルカメラ１０の内部構成と比較し、背景色検出部１２８に代えて画像展開部２０１，サイズ・座標変換部２０２が備えられている。また、表示制御部１２９に代えて表示制御部２０３が備えられている。
【００７６】
本実施形態のデジタルカメラ２０は、前述したデジタルカメラ１０と同様にして、被写体像と重なる位置に、前述した光透過性基板１０＿４３０に光透過性のＬＥＤ１０＿４３Ｒ，１０＿４３Ｇ，１０＿４３Ｂが二次元的に搭載された透過表示板１０＿４３が配置された光学式ファインダ１０＿４を備えている。さらに、このデジタルカメラ２０は、この光学式ファインダ１０＿４に、透過表示板１０＿４３上のＬＥＤ１０＿４３Ｒ，１０＿４３Ｇ，１０＿４３Ｂの点灯（あるいは点滅）により、その透過表示板１０＿４３上に、以下に説明するようにして、撮影済みの画像を表示させるものである。
【００７７】
図８に示す画像展開部２０１は、過去に撮影され記録メディア１０＿５４に記録されている画像データを、メディアコントローラ１２７を介して読み出して、光学式ファインダ１０＿４用の画像として表示するための画像展開処理を行なう。
【００７８】
サイズ・座標変換部２０２は、画像展開部２０１で画像展開処理された画像データに基づいて、画像のサイズ変換や画像の座標変換を行なう。
【００７９】
表示制御部２０３は、透過表示板１０＿４３のＬＥＤ１０＿４３Ｒ，１０＿４３Ｇ，１０＿４３Ｂの点灯（あるいは点滅）により、その透過表示板１０＿４３上に撮影済みの画像を表示させる。
【００８０】
図８に示すデジタルカメラ２０を構成する光学式ファインダ１０＿４に、以前撮影した画像を被写体像と重なる位置に表示させるオーバーレイ表示を行なうにあたり、このデジタルカメラ２０は、撮影直後の画像を被写体像と重なる位置に表示する第１のモードと、記録メディア１０＿５４に記録されている画像を被写体像と重なる位置に表示する第２のモードを有する。これら第１，第２のモード切替は、操作部１０＿１００の操作により行なうことができる。詳細には、第１のモードに切り替えられると、表示制御部２０３は、透過表示板１０＿４３上に、撮影中の画像を表わす画像データに基づく画像を表示させる。また、第２のモードに切り替えられると、表示制御部２０３は、透過表示板１０＿４３上に、過去に撮影され記録されている画像データに基づく画像を表示させる。
【００８１】
図９は、図８に示す表示制御部における第１のモードによるオーバーレイ表示を示す図である。
【００８２】
図９に示す表示制御部２０３は、第１のモードで動作する。この表示制御部２０３は、光学式ファインダ１０＿４を構成する透過表示板１０＿４３上に、撮影中の画像を表わす画像データに基づく画像を表示させる。具体的には、表示制御部２０３は、光学式ファインダ１０＿４を介して視認されている矢印Ａで示す画像に基づいてサイズ・座標変換された情報を入力し、この情報に基づいて透過表示板１０＿４３上のＬＥＤ１０＿４３Ｒ，１０＿４３Ｇ，１０＿４３Ｂを点灯（あるいは点滅）制御することにより、図９の矢印Ｂで示すように、透過表示板１０＿４３上に、光学式ファインダ１０＿４から視認される画像と重なる位置に、点線で示す画像を表示させる。このようにすることにより、光学式ファインダ１０＿４で生じるパララックス（視差）を確認することができる。
【００８３】
図１０は、図９に示す表示制御部における第１のモードによるオーバーレイ表示の処理ルーチンのフローチャートである。
【００８４】
先ず、ステップＳ１において、撮影モードに切り替える。次に、ステップＳ２において、操作部１０＿１００を操作してオーバーレイ取込みをオンにし、ステップＳ３において、撮影を行なう。さらに、ステップＳ４において、オーバーレイ表示を行なって、このルーチンを終了する。
【００８５】
図１１は、図８に示す表示制御部における第２のモードによるオーバーレイ表示を示す図である。
【００８６】
図８に示す表示制御部２０３は、第２のモードで動作する。ここでは、表示制御部２０３は、光学式ファインダ１０＿４を構成する透過表示板１０＿４３上に、過去に撮影され記録メディア１０＿５４に記録されている画像データに基づく画像を表示させる。具体的には、図１１に示すように、過去に撮影され記録メディア１０＿５４に記録されている画像データで表わされる９個の画像（サムネイル一覧の画像）のうちの１個を十字ボタン，メニュー／ＯＫボタンで選択し、選択された画像を表わす画像データを画像展開部２０１で画像展開処理し、サイズ・座標変換部２０２で画像のサイズ変換や画像の座標変換を行なう。表示制御部２０３では、サイズ・座標変換された情報を入力し、この情報に基づいて透過表示板１０＿４３上のＬＥＤ１０＿４３Ｒ，１０＿４３Ｇ，１０＿４３Ｂを点灯（あるいは点滅）制御することにより、透過表示板１０＿４３上に、図１１に実線で示す被写体像と重なる位置に、点線で示す画像（記録メディア１０＿５４に記録され選択された画像）を表示させる。このようにすることにより、定められた点を定期的に観測する定点観測や合成写真の作成を精度よく行なうことができる。
【００８７】
図１２は、図８に示す表示制御部における第２のモードによるオーバーレイ表示の処理ルーチンのフローチャートである。
【００８８】
先ず、ステップＳ１１において、操作部１０＿１００を操作してオーバーレイ画像選択モード（第２のモード）をオンにする。次に、ステップＳ１２において、サムネイル一覧より所望の画像を選択する。さらに、ステップＳ１３において、オーバーレイ表示を行なって、このルーチンを終了する。
【００８９】
本実施形態のデジタルカメラ２０は、被写体像と重なる位置に、光透過性基板１０＿４３０に光透過性のＬＥＤ１０＿４３Ｒ，１０＿４３Ｇ，１０＿４３Ｂが二次元的に搭載された透過表示板１０＿４３が配置された光学式ファインダ１０＿４を備え、その透過表示板１０＿４３上のＬＥＤ１０＿４３Ｒ，１０＿４３Ｇ，１０＿４３Ｂの点灯（あるいは点滅）により、その透過表示板１０＿４３に撮影済みの画像を表示させるものである。このように、光学式ファインダ１０＿４内の、被写体光が通過する光路上に、透過表示板１０＿４３が配置されてなる構成であるため、従来の、プリズムやハーフミラー等の光学部材を有するとともに光路外にＬＥＤと液晶表示部を有する表示装置を備える技術と比較し、光学式ファインダ１０＿４のサイズを小さく抑えたまま、透過表示板１０＿４３に撮影済みの画像を表示することができる。また、撮影済みの画像は、透過表示板１０＿４３上のＬＥＤ１０＿４３Ｒ，１０＿４３Ｇ，１０＿４３Ｂの点灯（あるいは点滅）により表示されるため、周囲が暗い場合であっても視認することができる。ここで、透過表示板１０＿４３に撮影済みの画像を表示させるにあたり、撮影中の画像を表わす画像データに基づく画像を表示させると、光学式ファインダ１０＿４で生じるパララックス（視差）を確認することができ、また過去に撮影され記録されている画像データに基づく画像を表示させると、定められた点を定期的に観測する定点観測や合成写真の作成を精度よく行なうことができる。
【００９０】
尚、上述した本実施形態では、デジタルカメラの例で説明したが、これに限られるものではなく、本発明は、携帯電話に搭載されるカメラやビデオカメラ等であってもよい。
【図面の簡単な説明】
【００９１】
【図１】本発明の第１の撮影装置の一実施形態のデジタルカメラを前面斜め上から見た外観斜視図である。
【図２】図１に示すデジタルカメラを上から見た外観図である。
【図３】図１に示すデジタルカメラを背面から見た外観図である。
【図４】図１に示すデジタルカメラを下から見た外観図である。
【図５】図１に示すデジタルカメラの内部構成を示す図である。
【図６】表示制御部および光学式ファインダの機能を説明するための図である。
【図７】図６に示す透過表示板の構造を模式的に示す図である。
【図８】本発明の第２の撮影装置の一実施形態のデジタルカメラの内部構成を示す図である。
【図９】図８に示す表示制御部における第１のモードによるオーバーレイ表示を示す図である。
【図１０】図９に示す表示制御部における第１のモードによるオーバーレイ表示の処理ルーチンのフローチャートである。
【図１１】図８に示す表示制御部における第２のモードによるオーバーレイ表示を示す図である。
【図１２】図５に示すデジタルカメラを構成するメモリおよび画像信号処理回路の詳細を示す図である。
【符号の説明】
【００９２】
１０，２０  デジタルカメラ
１０＿１  ズーム鏡胴
１０＿１ａ  ズームレンズ
１０＿１ｂ  アイリス
１０＿１ｃ  フォーカスレンズ
１０＿２  フラッシュ発光部
１０＿３  フラッシュ調光センサ
１０＿４  光学式ファインダ
１０＿４１  対物レンズ
１０＿４１ａ  光学式ファインダ対物窓
１０＿４２  接眼レンズ
１０＿４３  透過表示板
１０＿４３Ｒ，１０＿４３Ｇ，１０＿４３Ｂ  ＬＥＤ
１０＿５  グリップ
１０＿６  セルフタイマランプ
１０＿８  シャッタボタン
１０＿９  モードダイヤル
１０＿１０  電源ボタン
１０＿１２  ポップアップボタン
１０＿１３  電池カバー
１０＿１４電池挿入部
１０＿１５  記録メディアスロット
１０＿１６  三脚用ねじ穴
１０＿２４  露出補正ボタン
１０＿２５  広角ズームボタン
１０＿２６  望遠ズームボタン
１０＿２７  モードスイッチ
１０＿３０  フォトモードボタン
１０＿３１  十字ボタン
１０＿３１ａ  上ボタン
１０＿３１ｂ  下ボタン
１０＿３１ｃ  左ボタン
１０＿３１ｄ  右ボタン
１０＿３２  メニュー／ＯＫボタン
１０＿３３  ＤＩＳＰ／ＢＡＣＫボタン
１０＿３４  液晶モニタ
１０＿４２ｂ  光学式ファインダ接眼窓
１０＿５４  記録メディア
１０＿１００  操作部
１０＿４３０  光透過性基板
１０＿４３１，１０＿４３２，１０＿４３３  ＬＥＤ層
１００  電池
１１１，１１２，１１３  モータドライバ
１１４  ＣＣＤ
１１５  タイミングジェネレータ
１１６  ＭＰＵ
１１６ａ  ＲＯＭ
１１７  ＣＤＳＡＭＰ
１１８  Ａ／Ｄ変換部
１１９  画像入力コントローラ
１２０  画像信号処理部
１２１  圧縮処理部
１２２  Ｖｉｄｅｏ／ＬＣＤエンコーダ
１２４  ＡＥ＆ＡＷＢ検出部
１２３  ＡＦ検出部
１２５  メモリ（ＳＤＲＡＭ）
１２６  ＶＲＡＭ
１２７  メディアコントローラ
１２８  背景色検出部
１２９，２０３  表示制御部
２０１  画像展開部
２０２  サイズ・座標変換部
【図１】
2006227200.tif 000003
【図２】
2006227200.tif 000004
【図３】
2006227200.tif 000005
【図４】
2006227200.tif 000006
【図５】
2006227200.tif 000007
【図６】
2006227200.tif 000008
【図７】
2006227200.tif 000009
【図８】
2006227200.tif 000010
【図９】
2006227200.tif 000011
【図１０】
2006227200.tif 000012
【図１１】
2006227200.tif 000013
【図１２】
2006227200.tif 000014